(57)【特許請求の範囲】
【請求項１】
自動販売機の外扉の所定範囲を開口し開口周端縁を裏面側に折曲して成形される看板取付口と、該看板取付口に装着される看板ユニットの前面パネルとの当接周縁に介在するパッキンを止着するにあたり、
該開口周端縁と隣合う裏面部または前面パネルの支持枠材から所定の角度をもって切り起こし状に形成され開口周端縁側への付勢力を備えて対向配置される係止爪を設け、この係止爪を看板取付口の縁辺所要個所に断続的に配設し、前記開口周端縁と係止爪との間に生ずる隙間部分にてパッキンを着脱可能に保持することを特徴とするパッキンの止着構造。
【発明の詳細な説明】
【０００１】
【発明の属する技術分野】
本発明は、自動販売機の外扉に設備される看板ユニットの取付けに係るものであり、詳細には、外扉と看板ユニットの前面パネルとの間に介在するパッキンの止着構造に関するものである。
【０００２】
【従来の技術】
図４のように各種自動販売機においては、その外扉１の前面部分の大半を商品展示部や選択ボタン装置等を装備した看板ユニット２が占めている。
透明な合成樹脂板等で成形されている看板ユニットの前面パネル２１は、前記外扉１の所定範囲を開口成形した看板取付口１０の裏側に沿設された支持枠（図示省略）に固定され、この前面パネル２１と看板取付口１０との当接周縁には外部からの浸水を防止するためのパッキンが一連に配設されている。
塩化ビニル樹脂の押出し成形等により一連または環状に成形されているこの種のパッキンは、自動販売機の設置現場において必要に応じて交換可能なように看板取付口の周端縁に固定されている。
【０００３】
図５（イ）、（ロ）は従来のパッキンの固定構造を示したものであって、（イ）は、外扉１の裏面側に向けて折曲成形した看板取付口の開口周端縁１１の先端縁辺に嵌着する溝状部を設けたパッキン３を形成し、看板取付口１０の全周に配設するものであり、（ロ）は該開口周端縁１１と外扉裏面部１ａとの隅角部に沿わせてパッキン３を配設し、その接触面部に両面テープや接着剤等の適宜な接着手段を配して固定したものである。
前記看板ユニット２の前面パネル２１は、その周縁部分に一体または別体に設けられている取付片２２を介して外扉裏面部１ａに沿設される支持枠１２に固定され、前記パッキン３と圧接した状態に維持される。
なお、前記パッキン３における前面パネルとの当接面は、防水効果が得られる形状であれば良く、断面形状等を特に限定するものではない。
【０００４】
【発明が解決しようとする課題】
しかしながら、従来のパッキンの固定構造にあっては、取付け時ならびに交換時の作業性に問題点を有していた。
すなわち、（イ）のような看板取付口の開口周端縁に嵌合させる固定構造では、パッキンの取付作業等の際にパッキンの自重や外部からの衝撃を受けた場合などに開口周端縁から離脱してしまうといった不具合があり、また、（ロ）のような両面テープや接着剤などによる接着固定であると、取付作業に手間取るだけでなく、パッキンを交換するような場合に、長期間の使用によって脆弱化したパッキンや接着剤等の一部が外扉裏面あるいは前面パネルの当接面部に部分的に残存してしまうことがあり、このような残存片などの排除が不十分なままに新しいパッキンを配設すると、当接面部に凹凸が生じてしまって接着不良が生じ易く、前面パネルとの間に隙間が発生する原因となるなどといった問題点があった。
【０００５】
これらの問題点は、迅速性と確実性とが要求されている設置現場での作業において顕著に生じており、設置現場における作業が容易なパッキンの止着構造とすることが課題となっている。
本発明は、上記した事情のもとになされたものであり、その目的とするところは、看板取付口の周囲においてパッキンを着脱可能に挟持する構造とすることにより、設置現場での作業が容易で確実になされるパッキンの止着構造を提供することにある。
【０００６】
【課題を解決するための手段】
上記した目的を達成するために、本発明は、自動販売機の外扉の所定範囲を開口し開口周端縁を裏面側に折曲して成形される看板取付口と、該看板取付口に装着される看板ユニットの前面パネルとの当接周縁に介在するパッキンを止着するにあたり、該開口周端縁と隣合う裏面部または前面パネルの支持枠材から所定の角度をもって切り起こし状に形成され開口周端縁側への付勢力を備えて対向配置される係止爪を設け、この係止爪を看板取付口の縁辺所要個所に断続的に配設し、前記開口周端縁と係止爪との間に生ずる隙間部分にてパッキンを着脱可能に保持する構造を呈するものである。
【０００７】
【発明の実施の形態】
以下、本発明の一実施形態を図１から図３を参照しながら詳細に説明する。
本発明は図１および図２に示すように、外扉１に開設する看板取付口１０を従来のものと同様に開口周端縁１１を裏面側に向けて折曲させて成形してあり、該開口周端縁１１の各縁辺に沿って看板ユニットの前面パネル２１を固定するための支持枠１２が外扉裏面部１ａに配設される。
【０００８】
そして、前記開口周端縁１１と隣接する外扉裏面部１ａまたは支持枠１２には、看板ユニットの前面パネルと当接するパッキン３を止着するために設けた係止爪４が開口周端縁１１と対向するように配設される。
【０００９】
該係止爪４は、開口周端縁１１側への付勢力を具有するように、外扉裏面部あるいは支持枠を基部として先端辺部分を所定の角度θをもって切起こし状に設けるとともに、看板取付口の縁辺方向に部分的に沿うように任意に設定される長さ寸法Ｌにより形成される。
【００１０】
これにより、開口周端縁１１と係止爪４との間にはパッキン３の装着が可能な隙間部分が形成される。切起こし状に設けてある係止爪４は、先端辺部分を引起こした場合に弾発力が得られ、前記した隙間部分にパッキンを装着すれば、前記パッキン３は係止爪４の付勢力によって開口周端縁１１との間に挟着状態に保持されるものとなる。
【００１１】
したがって、看板取付口１０の各縁辺における所要個所に前記係止爪４を配設することにより、パッキン３の止着に係る隙間部分が断続的に得られ、この隙間部分に対して、環状または一連に形成されている前記パッキンを順次装着して行けば看板取付口１０の全周囲に渡って止着することが可能となる。
【００１２】
しかも、このような係止爪の付勢力によるパッキンの止着であると、パッキンの取付作業に際しては、両面テープや接着剤といった別途の接着手段を準備する必要がなくなってコストの低減化が図れるばかりでなく、作業の容易性、作業時間の短縮等といった作業効率の向上が見込まれ、また、パッキンの交換作業においても、別途の接着手段が介在しないことから取外しが容易となるうえに、脆弱化したパッキンの残存片等が当接面部に残ってしまい新たなパッキンとの間に凹凸個所を生じてしまうなどといった不具合も解消されるものとなる。
【００１３】
また、適用されるパッキン３にあっても、前記隙間部分に挟持される幅寸法を有するものであればどのような形状のものでも良く、既製品の使用も可能であるうえに、発泡性ゴムやエチレン−プロピレン樹脂等といった塩化ビニル樹脂よりもシール性に富み脆弱化（劣化）し難い材料からなるものを用いることも可能としている。
加えて、成形が容易な四方形等といった単純な断面形状のもので十分に対応可能であることから、パッキン側において止着に係る溝等を設けるなどといった余計な加工を施す必要もなくなる。
【００１４】
なお、前記係止爪４は、前面パネル２１が固定される支持枠１２の一部から直接に切起こして一体成形するほかにも、適宜な金属板等を折曲成形した別部材として設けて外扉裏面部あるいは支持枠の所定個所に固設しても良い。
さらに、図３は前記係止爪の形状を示すものであり、切起こし状に形成される部分の先端形状は必ずしも直線状に設ける必要はなく、当該係止爪の配設個所において開口周端縁と好適に対応する形状のものを適宜採択すれば、図中のＡ〜Ｒ以外の形態であっても不都合はない。
【００１５】
【発明の効果】
以上説明したように、本発明によれば、自動販売機の外扉の所定範囲を開口し開口周端縁を裏面側に折曲して成形される看板取付口と、該看板取付口に装着される看板ユニットの前面パネルとの当接周縁に介在するパッキンを止着するにあたり、該開口周端縁と隣合う裏面部または前面パネルの支持枠材から所要の角度をもって切り起こし状に形成され開口周端縁側への付勢力を備えて対向配置される係止爪を設け、この係止爪を看板取付口の縁辺所要個所に断続的に配設し、前記開口周端縁と係止爪との間に生ずる隙間部分にてパッキンを着脱可能に保持する構造としたことにより、パッキンの取付け時においては、開口周端縁と係止爪との間に形成される隙間部分に対して所定のパッキンを順次装着して行けば両面テープや接着剤等といった別途の接着手段を用いることなく簡単に全周囲に渡って止着することができるといった効率の良い作業性が得られ、パッキンの交換作業に際しても、古いパッキンの取外しが容易であるうえに脆弱化（劣化）したパッキン等の残存片を当接面部に残してしまうような不具合がなくなるといった優れた効果を奏するものとなり、よって、迅速かつ確実な対処が要求される各種自動販売機のメンテナンス作業等といった設置現場における諸作業に好適な止着構造が実現される。
【図面の簡単な説明】
【図１】  本発明の一実施形態を示す正面説明図である。
【図２】  同じく本発明の一実施形態を示す要部断面図である。
【図３】  本発明に係る係止爪の形状例を示す平面図である。
【図４】  一般的な自動販売機を示す正面図である。
【図５】  従来のパッキンの固定構造を示した要部断面図である。
【符号の説明】
１……外扉
１ａ……裏面部
１０……看板取付口
１１……開口周端縁
１２……支持枠
２……看板ユニット
２１……前面パネル
２２……取付片
３……パッキン
４……係止爪
【図１】
0003767220.tif 000002
【図２】
0003767220.tif 000003
【図３】
0003767220.tif 000004
【図４】
0003767220.tif 000005
【図５】
0003767220.tif 000006